(57)【要約】【課題】本発明は、印刷ジョブを複数の処理段階でキャンセルする機能を有する画像形成装置、画像形成制御方法、画像形成制御プログラム及び記録媒体に関する。【解決手段】プリンタ装置１は、キャンセルモードとして少なくとも画像出力動作を開始したページの画像の用紙への画像出力を中止して該用紙の該ページ画像の出力対象面が白紙の状態で該用紙を排出する白紙排紙キャンセルモードを有し、ＣＰＵ１５が、操作パネル３のキャンセルキーの操作内容に基づいて該白紙排紙キャンセルモードを含む複数のキャンセルモードのうちいずれかのキャンセルモードを選択して実行する。したがって、既に画像出力動作の開始されているページの用紙への画像出力を含む以降の印刷ジョブを速やかに中止することができる。【選択図】          図１
2008254372.tif 000002
【特許請求の範囲】
【請求項１】
用紙への画像出力を行うとともに、該画像出力動作処理を複数のキャンセルモードでキャンセルする画像形成装置であって、前記キャンセルモードとして少なくとも画像出力動作を開始したページの画像の前記用紙への画像出力を中止して該ページ画像の該用紙の出力対象面が白紙の状態で該用紙を排出する白紙排紙キャンセルモードを有し、前記キャンセル処理を指示操作するキャンセル指示操作手段と、該キャンセル指示操作手段の操作内容に基づいて該白紙排紙キャンセルモードを含む前記複数のキャンセルモードのうちいずれかのキャンセルモードを選択して実行するキャンセルモード選択処理を行う制御手段とを備えていることを特徴とする画像形成装置。
【請求項２】
画像出力動作処理を複数のキャンセルモードでキャンセルする画像形成制御方法であって、前記キャンセルモードとして少なくとも画像出力動作を開始したページの画像の用紙への画像出力を中止して該ページ画像の該用紙の出力対象面が白紙の状態で該用紙を排出する白紙排紙キャンセルモードを有し、前記キャンセル処理を指示操作するキャンセル指示操作手段の操作内容に基づいて該白紙排紙キャンセルモードを含む前記複数のキャンセルモードのうちいずれかのキャンセルモードを選択して実行するキャンセルモード選択処理を行うことを特徴とする画像形成制御方法。
【請求項３】
画像出力動作処理を複数のキャンセルモードでキャンセルする画像形成制御プログラムであって、前記キャンセルモードとして少なくとも画像出力動作を開始したページの画像の用紙への画像出力を中止して該ページ画像の該用紙の出力対象面が白紙の状態で該用紙を排出する白紙排紙キャンセルモードを有し、前記キャンセル処理を指示操作するキャンセル指示操作手段の操作内容に基づいて該白紙排紙キャンセルモードを含む前記複数のキャンセルモードのうちいずれかのキャンセルモードを選択して実行するキャンセルモード選択処理を行うことを特徴とする画像形成制御プログラム。
【請求項４】
前記キャンセル指示操作手段は、１つのハードまたはソフトのキャンセルキーであり、前記キャンセルモード選択処理において、該キャンセルキーの所定の再操作時間内の操作回数に基づいて前記キャンセルモードを選択することを特徴とする請求項１記載の画像形成装置または請求項２記載の画像形成制御方法あるいは請求項３記載の画像形成制御プログラム。
【請求項５】
前記キャンセル指示操作手段は、前記複数のキャンセルモード毎に設けられたハードまたはソフトのキャンセルキーであり、前記キャンセルモード選択処理において、該複数のキャンセルキーのうちいずれのキャンセルキーが操作されたかによって前記キャンセルモードを選択することを特徴とする請求項１記載の画像形成装置または請求項２記載の画像形成制御方法あるいは請求項３記載の画像形成制御プログラム。
【請求項６】
前記キャンセル指示操作手段は、前記白紙排紙キャンセルモードを含む複数のキャンセルモードのうちの任意のキャンセルモードが予め割り当てられているハードまたはソフトのキャンセルキーであり、前記キャンセルモード選択処理において、該キャンセルキーに割り当てられているキャンセルモードを選択することを特徴とする請求項１から請求項５のいずれかに記載の画像形成装置または画像形成制御方法あるいは画像形成制御プログラム。
【請求項７】
請求項３から請求項６のいずれかに記載の画像形成制御プログラムを記録したことを特徴とする記録媒体。
【発明の詳細な説明】
【技術分野】
【０００１】
本発明は、画像形成装置、画像形成制御方法、画像形成制御プログラム及び記録媒体に関し、詳細には、印刷ジョブを複数の処理段階でキャンセルする機能を有する画像形成装置、画像形成制御方法、画像形成制御プログラム及び記録媒体に関する。
【背景技術】
【０００２】
プリンタ装置、複合装置、ファクシミリ装置、複写装置等の画像形成装置は、従来から、一旦開始した印刷動作を中止させるキャンセル機能を備えている。
【０００３】
そして、従来、複数の段階でキャンセル処理を実行するとともに、第１段階のキャンセル処理として、印刷モードを、トナー節約モード、集約印刷モード、両面印刷モード、モノクロモード等に切り換える印刷装置が提案されている（特許文献１参照）。
【０００４】
すなわち、この従来技術は、キャンセル処理として、一旦開始した印刷ジョブの印刷モードを、トナー等の印刷媒体や用紙を節約して印刷するモードに切り換えることで、印刷資源を節約しつつ、印刷ジョブ全体の印刷結果を確認できるようにしている。
【０００５】
【特許文献１】特開２００４−００４４０３号公報
【発明の開示】
【発明が解決しようとする課題】
【０００６】
しかしながら、上記従来技術にあっては、印刷ジョブ全体を出力することが前提となっているため、印刷ジョブ全体を速やかに中止することができず、利用性を向上させつつ、印刷資源をより一層節約する上で、改良の必要があった。すなわち、印刷ジョブの印刷指定を間違えた場合や印刷された出力結果がユーザの意図とは異なった印刷結果である場合等に、以降の印刷ジョブを速やかに中止することができず、利用性を向上させつつ、印刷資源をより一層節約する上で、改良の必要があった。
【０００７】
そこで、本発明は、キャンセル機能の利用性を向上させつつ、印刷資源をより一層節約することのできる画像形成装置、画像形成制御方法、画像形成制御プログラム及び記録媒体を提供することを目的としている。
【課題を解決するための手段】
【０００８】
請求項１記載の発明の画像形成装置は、用紙への画像出力を行うとともに、該画像出力動作処理を複数のキャンセルモードでキャンセルする画像形成装置であって、前記キャンセルモードとして少なくとも画像出力動作を開始したページの画像の前記用紙への画像出力を中止して該ページ画像の該用紙の出力対象面が白紙の状態で該用紙を排出する白紙排紙キャンセルモードを有し、前記キャンセル処理を指示操作するキャンセル指示操作手段と、該キャンセル指示操作手段の操作内容に基づいて該白紙排紙キャンセルモードを含む前記複数のキャンセルモードのうちいずれかのキャンセルモードを選択して実行するキャンセルモード選択処理を行う制御手段とを備えていることにより、上記目的を達成している。
【０００９】
請求項２記載の発明の画像形成制御方法は、画像出力動作処理を複数のキャンセルモードでキャンセルする画像形成制御方法であって、前記キャンセルモードとして少なくとも画像出力動作を開始したページの画像の用紙への画像出力を中止して該ページ画像の該用紙の出力対象面が白紙の状態で該用紙を排出する白紙排紙キャンセルモードを有し、前記キャンセル処理を指示操作するキャンセル指示操作手段の操作内容に基づいて該白紙排紙キャンセルモードを含む前記複数のキャンセルモードのうちいずれかのキャンセルモードを選択して実行するキャンセルモード選択処理を行うことにより、上記目的を達成している。
【００１０】
請求項３記載の発明の画像形成制御プログラムは、画像出力動作処理を複数のキャンセルモードでキャンセルする画像形成制御プログラムであって、前記キャンセルモードとして少なくとも画像出力動作を開始したページの画像の用紙への画像出力を中止して該ページ画像の該用紙の出力対象面が白紙の状態で該用紙を排出する白紙排紙キャンセルモードを有し、前記キャンセル処理を指示操作するキャンセル指示操作手段の操作内容に基づいて該白紙排紙キャンセルモードを含む前記複数のキャンセルモードのうちいずれかのキャンセルモードを選択して実行するキャンセルモード選択処理を行うことにより、上記目的を達成している。
【００１１】
上記各場合において、例えば、請求項４に記載するように、前記キャンセル指示操作手段は、１つのハードまたはソフトのキャンセルキーであり、前記キャンセルモード選択処理において、該キャンセルキーの所定の再操作時間内の操作回数に基づいて前記キャンセルモードを選択してもよい。
【００１２】
また、例えば、請求項５に記載するように、前記キャンセル指示操作手段は、前記複数のキャンセルモード毎に設けられたハードまたはソフトのキャンセルキーであり、前記キャンセルモード選択処理において、該複数のキャンセルキーのうちいずれのキャンセルキーが操作されたかによって前記キャンセルモードを選択してもよい。
【００１３】
さらに、例えば、請求項６に記載するように、前記キャンセル指示操作手段は、前記白紙排紙キャンセルモードを含む複数のキャンセルモードのうちの任意のキャンセルモードが予め割り当てられているハードまたはソフトのキャンセルキーであり、前記キャンセルモード選択処理において、該キャンセルキーに割り当てられているキャンセルモードを選択してもよい。
【００１４】
請求項７記載の発明の記録媒体は、請求項３から請求項６のいずれかに記載の画像形成制御プログラムを記録したことにより、上記目的を達成している。
【発明の効果】
【００１５】
本発明によれば、キャンセルモードとして少なくとも画像出力動作を開始したページの画像の用紙への画像出力を中止して該ページ画像の該用紙の出力対象面が白紙の状態のままで該用紙を排出する白紙排紙キャンセルモードを設け、キャンセル指示操作手段の操作内容に基づいて該白紙排紙キャンセルモードを含む複数のキャンセルモードのうちいずれかのキャンセルモードを選択して実行するので、既に画像出力動作の開始されているページ画像の用紙への画像出力を含む以降の印刷ジョブを速やかに中止することができ、利用性を向上させることができるとともに、トナーや用紙等の印刷資源をより一層節約することができる。
【発明を実施するための最良の形態】
【００１６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１７】
図１〜図３は、本発明の画像形成装置、画像形成制御方法、画像形成制御プログラム及び記録媒体の第１実施例を示す図であり、図１は、本発明の画像形成装置、画像形成制御方法、画像形成制御プログラム及び記録媒体の第１実施例を適用したプリンタ装置１のブロック構成図である。
【００１８】
図１において、プリンタ装置１は、コントローラ２、操作パネル３及びプリンタエンジン４等を備えており、ホスト装置ＨＳが接続されている。
【００１９】
コントローラ２は、そのとき設定されている制御モード及びホスト装置ＨＳからの制御コードに従って、ホスト装置ＨＳからの印刷データを、画像データに変換してプリンタエンジン４へ出力する制御機構の総称であり、ホストＩ／Ｆ１１、プログラムＲＯＭ（Read Only Memory）１２、フォントＲＯＭ１３、パネルＩ／Ｆ１４、ＣＰＵ（Central Processing Unit ）１５、ＲＡＭ（Random Access Memory）１６、ＮＶＲＡＭ（Non-Volatile Random Access Memory）１７、エンジンＩ／Ｆ１８及びオプションＲＡＭ１９等を備えていて、上記各部は、バス２０により接続されている。
【００２０】
ホストＩ／Ｆ１１には、ホスト装置ＨＳが接続されており、ホストＩ／Ｆ１１は、ホスト装置ＨＳからプリンタ装置１に送られてくる制御信号及びデータを受け取るとともに、プリンタ装置１からホスト装置ＨＳへのステータス信号等のデータや信号の送り出しを行う。
【００２１】
プログラムＲＯＭ１２は、コントローラ２内でのデータの処理や管理及び周辺モジュールを制御するためのプログラム、具体的には、プリンタ装置１としての基本処理プログラム及び後述する画像形成制御プログラム等の各種プログラムを格納しているとともに、これらの各プログラムを実行するのに必要な各種データを格納している。
【００２２】
フォントＲＯＭ１３は、プリンタ装置１で印刷に使用する各種フォントが予め格納されており、ＣＰＵ１５により読み出されて、印刷処理に供される。
【００２３】
このプリンタ装置１は、この画像形成制御プログラムが、予めプログラムＲＯＭ１２に格納されている場合に限るものではなく、プログラムＲＯＭ１２が書込可能であって、ＣＤ（Compact Disc）、ＣＤ−ＲＷ（Compact Disc Rewritable ）、フレキシブルディスク等の記録媒体に記録されている後述する画像形成制御プログラムを読み込ませて格納してもよい。そして、このプリンタ装置１は、上述のように、記録媒体に記録されている画像形成制御プログラムが導入されて、実行されることで、本発明のプリンタ装置１として構築され、また、画像形成制御方法を実行する。
【００２４】
パネルＩ／Ｆ１４には、操作パネル３が接続されており、操作パネル３は、プリンタ装置１のモードやフォント等の切換操作等の各種操作を行うための各種操作キーを備えるとともに、プリンタ装置１の状態を表示する液晶ディスプレイ等のディスプレイを備えている。パネルＩ／Ｆ１４は、コントローラ２と操作パネル３との間の信号の授受を行う。特に、操作パネル３は、図示しないが、印刷ジョブを複数段階でキャンセルするキャンセルキー（キャンセル指示操作手段）が設けられており、パネルＩ／Ｆ１４は、このキャンセルキーの操作状態をＣＰＵ１５に通知する。
【００２５】
ＣＰＵ（制御手段）１５は、プログラムＲＯＭ１２に格納されているプログラムに基づいて、ＲＡＭ１６をワークメモリとして利用しつつ、プリンタ装置１の各部を制御して、画像出力処理（画像形成処理）を行うとともに、後述するように、操作パネル３のキャンセルキーのキー操作結果に基づいてキャンセルモードとして少なくとも２種類のキャンセルモードを処理する画像形成制御処理を行う。
【００２６】
ＲＡＭ１６は、ＣＰＵ１５のワークメモリとして利用されるとともに、ホスト装置ＨＳからの印刷データをページ単位に管理して一時記憶するバッファ及びバッファに記憶されたデータを実際の画像パターン（印字パターン）に変換した画像データ（ビデオデータ）を記憶するビットマップメモリ等として利用される。
【００２７】
ＮＶＲＡＭ１７は、プリンタ装置１の電源が切られているときにも記憶内容を保持するメモリであり、プリンタ装置１の電源がオフの際にも保持する必要のあるデータをＣＰＵ１５の制御下で記憶する。
【００２８】
オプションＲＡＭ１９は、いわゆる補助メモリであり、ＲＡＭ１６の容量が不足した際等に補助として使用されるものである。
【００２９】
エンジンＩ／Ｆ１８には、プリンタエンジン４が接続されており、コントローラ２からプリンタエンジン４への制御信号やビデオ信号及びプリンタエンジン４からコントローラ２へのステータス信号の授受を行う。
【００３０】
プリンタエンジン４は、エンジンＩ／Ｆ１８を介してコントローラ２から受け取ったビデオ信号（画像信号）及び制御信号により、例えば、電子写真方式で画像形成（印刷処理）を行う。すなわち、プリンタエンジン４は、図示しないが、電子写真方式の場合、電子写真方式で記録紙に描画データを記録出力するのに必要な部品、例えば、感光体、光書込部、現像部、帯電部及びクリーニング部等を備えており、ビデオ信号及び制御信号により光書込部を動作させて感光体上に静電潜像を形成して、現像部によりトナー（印刷媒体）を感光体上に供給して現像してトナー画像を形成する。プリンタエンジン４は、給紙部から記録紙を感光体と転写部との間に給紙して、感光体上のトナー画像を記録紙に転写させ、トナー画像の転写された記録紙を定着部に搬送して、定着部で加熱・加圧して記録紙上のトナー画像を定着させることで、画像を形成する。
【００３１】
そして、プリンタ装置１は、ホストＩ／Ｆ１１を介してホスト装置ＨＳからデータを受け取ると、ＣＰＵ１５が、該受け取ったデータをプログラムＲＯＭ１２上のデータ解析プログラムに従って解析し、印刷データ及び印刷制御データ（ＳＰ、ＣＲ、ＬＦ、ＨＴ、ＶＴ、・・・等）とその他に分ける。ＣＰＵ１５は、印刷データ及び印刷制御データをＲＡＭ１６上の受信バッファに一旦記憶し、該一旦記憶した受信データを、プログラムＲＯＭ１２上の制御プログラムに従って一つずつ取り出して、該受信データの処理を行う。例えば、ＣＰＵ１５は、取り出したデータが文字コードであれば、印字位置、印字サイズ、文字コード、フォント情報等を備えた中間コードを作成して、ＲＡＭ１６上に設けられた中間バッファに収納し、取り出したデータが制御コードやエスケープシーケンス等のコマンドであると、それらに予め定義された処理を行う。具体的には、ＣＰＵ１５は、コマンドが印字位置の指定であると、次にきた文字コードの位置を指定された位置に設定し、また、コマンドがフォントの変更であると、次にきた文字コードのフォント情報を指定されたフォントにする等の処理を行う。そして、ＣＰＵ１５は、このようにしてホスト装置ＨＳからのプリント命令の処理を行うか、または、コマンドで指定された処理を行ったデータが１ページ分を超えると、次に中間バッファに貯えられた中間コードを、制御プログラムに従ってビデオデータに変換する処理を行う。ＣＰＵ１５は、中間コードのビデオデータへの変換が終了すると、コントローラ２は、エンジンＩ／Ｆ１８を通してプリンタエンジン４にプリントスタートの命令を出し、この命令に同期してビデオデータをプリンタエンジン４に転送する。プリンタ装置１は、上述のような一連の流れの処理を行うことで、ホスト装置ＨＳからの印刷データをプリンタエンジン４で用紙に印刷出力する。
【００３２】
また、プリンタ装置１は、図示しないが、タイマを内蔵しており、タイマは、現在時刻を計時するとともに、予め設定された設定時間、例えば、後述する画像形成制御処理のキャンセルモード選択処理で用いるキャンセルキーの再操作間隔を規定する再操作規定時間等を計時する。
【００３３】
次に、本実施例の作用を説明する。本実施例のプリンタ装置１は、操作パネル３のキャンセルキーの操作内容に応じて２種類のキャンセルモードを切り換える画像形成制御処理を行う。
【００３４】
すなわち、プリンタ装置１は、キャンセルキーによるキャンセルモードとして２種類以上（複数）のキャンセルモードを有しており、このキャンセルモードとして、例えば、キャンセルキー操作の時点で用紙への未印刷出力のページデータ以降の全ての印刷ジョブをキャンセルする白紙排紙キャンセルモードと該白紙排紙キャンセルモード以外のキャンセルモードを備えている。すなわち、プリンタ装置１での印刷出力には、印刷ジョブのページ処理（画像出力動作）が開始されてから実際にそのページデータが用紙に印刷出力されるまでの未作像期間があり、この未作像期間の状態にある用紙（未作像用紙）に対して所定のキャンセルキー操作が行われると、少なくともそのページデータを該未作像用紙に印刷して排紙する印刷排紙キャンセルモードと、そのページデータを該未作像用紙に印刷することなく白紙で排紙する白紙排紙キャンセルモードと、を有している。例えば、プリンタ装置１が、上述のように電子写真方式で印刷を行う場合、プリンタエンジン４で印刷ジョブのページ印刷処理として、用紙の給紙を開始してから実際に該用紙上に該ページのトナー画像が転写されるまでには、数秒の時間（未作像期間）があるため、給紙の開始された用紙には、該ページデータのトナー画像が転写されていない状態（未作像用紙状態）が存在する。この未作像用紙状態には、両面印刷の場合には、片面へのトナー画像の転写が完了した後に、他面へのトナー画像の転写が行われるまでの状態も含まれる。そして、この未作像期間のキャンセルキー操作に応じて、上記印刷排紙キャンセルモードと白紙排紙印刷モードのいずれかを選択するキャンセルモード選択処理を行う。
【００３５】
具体的には、図２（ａ）に示すように、用紙の裏面（ページ２）を印刷した後に、その表面（ページ１）を印刷するフェイスダウン両面印刷の場合、ページ２を用紙の裏面に印刷した後に、ページ１のページ印刷処理（画像出力動作処理）を開始して未作像期間の間にキャンセルキーの所定の入力操作（ジョブキャンセル操作）が行われると、プリンタ装置１は、図２（ｂ）に示すように、その裏面の印刷されている用紙の表面にページ２を印刷して排紙する印刷排紙キャンセルモードＣＭ１と、図２（ｃ）に示すように、その裏面の印刷されている用紙の表面にページ２を印刷することなく裏面を白紙で排紙する白紙排紙キャンセルモードＣＭ２とを有している。なお、白紙排紙キャンセルモードＣＭ２では、図２の場合、３ページ目以降の後続ページがあり該後続ページを印刷する用紙が未給紙状態であれば、該後続ページ用の用紙の給紙を中止して、印刷ジョブをキャンセル（リセット）し、給紙された後続ページ用の用紙があると、白紙排紙キャンセルモードＣＭ２の処理（白紙排紙）を該給紙の開始された用紙にも適用する。また、印刷排紙キャンセルモードＣＭ１は、白紙排紙キャンセルモードＣＭ２と異なるキャンセルモードであれば、どのような処理内容のモードであってもよく、例えば、以降のページデータを集約印刷、白黒印刷等を行うキャンセルモードであってもよい。また、プリンタ装置１の有しているキャンセルモードとしては、２つに限るものではなく、白紙排紙を行う白紙排紙キャンセルモードＣＭ２以外に複数（２つ以上）、計３つ以上のキャンセルモードを有していてもよい。
【００３６】
そして、操作者が印刷ジョブの処理を中止させたい場合に、キャンセルキーを何回も操作することが多いことを考慮して、本実施例のプリンタ装置１は、上記未作像期間内であって所定の時間（再操作規定時間）内にキャンセルキーが２回以上操作されることを切り換え条件としてとして、印刷排紙キャンセルモードＣＭ１と白紙排紙キャンセルモードＣＭ２の選択切り換えを行うキャンセルモード選択処理を行う。
【００３７】
すなわち、プリンタ装置１は、図３に示すように、ＣＰＵ１５が、パネルＩ／Ｆ１４を介して操作パネル３のキー操作を監視して、キャンセルキーが入力操作されたかチェックし（ステップＳ１０１）、キャンセルキーが入力操作されると、キャンセルキーの再操作の有無を判別するための再操作規定時間を計時するタイマをスタートさせる（ステップＳ１０２）。ＣＰＵ１５は、タイマをスタートさせると、キャンセルキーの入力回数をカウントするカウンタのカウント値に「１」を加算（インクリメント）し（ステップＳ１０３）、該キャンセルキーの入力回数のカウント値が規定回数（例えば、２回）以上であるかチェックする（ステップＳ１０４）。この再操作規定時間及びキャンセルモード切り換えの条件としてのキャンセルキーの規定入力回数は、操作パネル３の操作またはホスト装置ＨＳからのリモート操作によってユーザが任意に設定することができる。
【００３８】
ステップＳ１０４で、キャンセルキーの入力回数のカウント値が規定回数を下回っているときには、ＣＰＵ１５は、タイマが再操作規定時間を計時してタイマ終了かチェックし（ステップＳ１０５）、タイマ終了でないときには、キャンセルキーが入力操作されたかチェックする（ステップＳ１０６）。
【００３９】
ステップＳ１０６で、キャンセルキーが入力操作されないときには、ＣＰＵ１５は、タイマ終了かチェックする処理を繰り返し行い（ステップＳ１０５、Ｓ１０６）、キャンセルキーが入力操作されることなく、タイマ終了すると、上記開始したページデータを用紙に印刷して排紙する印刷排紙キャンセルモードＣＭ１の処理を行ってキャンセルモード選択処理を終了する（ステップＳ１０７）。
【００４０】
また、ステップＳ１０６でキャンセルキーが入力されると、ＣＰＵ１５は、ステップＳ１０３に戻って、キャンセルキー入力回数のカウント値をインクリメントして（ステップＳ１０３）、該キャンセルキーの入力回数のカウント値が規定回数（例えば、２回）以上であるかチェックする（ステップＳ１０４）。
【００４１】
そして、ステップＳ１０４で、キャンセルキーの入力回数のカウント値が規定回数以上であると、ＣＰＵ１５は、上記開始したページデータを用紙に印刷することなく該用紙を白紙で排紙する白紙排紙キャンセルモードＣＭ２の処理を行ってキャンセルモード選択処理を終了する（ステップＳ１０８）。
【００４２】
なお、キャンセルキーは、上記説明では、操作パネル３に設けられたハードキーを用いているが、キャンセルキーとしては、ハードキーに限るものではなく、操作パネル３のディスプレイに表示するソフトキーであってもよい。
【００４３】
また、本実施例のプリンタ装置１は、キャンセル指示操作手段（キャンセルキー）の操作内容として、キャンセルキーを押す回数（連打回数）を採用して、該キャンセルキーを押す回数に基づいて印刷排紙キャンセルモードＣＭ１と白紙排紙キャンセルモードＣＭ２の選択切り換えを行っているが、キャンセルモードの選択条件は、キャンセルキーを押す回数に限るものではなく、例えば、キャンセルキーを押してから離すまでの時間（連続押し時間）を採用してもよい。
【００４４】
このように、本実施例のプリンタ装置１は、キャンセルモードとして少なくとも画像出力動作を開始したページの画像の用紙への画像出力を中止して該ページ画像の該用紙の出力対象面が白紙の状態で該用紙を排出する白紙排紙キャンセルモードを設け、キャンセルキーの操作内容に基づいて該白紙排紙キャンセルモードを含む複数のキャンセルモードのうちいずれかのキャンセルモードを選択して実行している。
【００４５】
したがって、印刷ジョブの印刷指定を間違えた場合や印刷された出力結果がユーザの意図とは異なった印刷結果である場合等に、既に画像出力動作の開始されているページの用紙への画像出力（印刷出力）を含む以降の印刷ジョブを速やかに中止することができ、利用性を向上させることができるとともに、トナーや用紙等の印刷資源をより一層節約することができる。
【００４６】
また、本実施例のプリンタ装置１は、１つのハードまたはソフトのキャンセルキーの所定の再操作規定時間内の操作回数に基づいてキャンセルモードを選択している。
【００４７】
したがって、ユーザが印刷ジョブをキャンセルさせたい場合にキャンセルキーを連打する習性を利用して、画像出力動作を開始したページの画像の用紙への画像出力を中止して該用紙の該ページ画像の出力対象面が白紙の状態で該用紙を排出する白紙排紙キャンセルモードを選択する等のキャンセルモードの選択を１つのキャンセルキーで行うことができ、コストを削減することができるとともに、利用性を向上させることができる。
【実施例２】
【００４８】
図４及び図５は、本発明の画像形成装置、画像形成制御方法、画像形成制御プログラム及び記録媒体の第２実施例を示す図であり、図４は、本発明の画像形成装置、画像形成制御方法、画像形成制御プログラム及び記録媒体の第２実施例を適用したプリンタ装置の操作パネルの要部上面図、図５は、該プリンタ装置による画像形成制御処理を示すフローチャートである。
【００４９】
なお、本実施例は、上記第１実施例のプリンタ装置１と同様のプリンタ装置に適用したものであり、本実施例の説明においては、必要に応じて上記第１実施例の説明で用いた符号をそのまま用いて説明する。
【００５０】
本実施例のプリンタ装置１は、上記第１実施例と同様に複数、例えば、印刷排紙キャンセルモードＣＭ１と白紙排紙キャンセルモードＣＭ２の２つのキャンセルモードを有しており、これらのキャンセルモードの選択をそれぞれ異なるキーに割り当てている。
【００５１】
すなわち、本実施例のプリンタ装置１は、例えば、図４に示すように、操作パネル３に２つのキャンセルキーＲ１、Ｒ２の設けられているキー部３ａを有しており、キャンセルキーＲ１、Ｒ２には、それぞれ異なるキャンセルモード（例えば、上記第１実施例の印刷排紙キャンセルモードＣＭ１と白紙排紙キャンセルモードＣＭ２）が割り当てられている。
【００５２】
このキャンセルキーＲ１、Ｒ２へのキャンセルモードの割り当ては、ユーザが操作パネル３のキー操作やホスト装置ＨＳからの操作によって適宜行うことができる。また、このキャンセルキーＲ１、Ｒ２は、図４では、ハードキーを用いている場合について示しているが、キャンセルキーＲ１、Ｒ２としては、ハードキーに限るものではなく、操作パネル３のディスプレイに表示するソフトキーであってもよい。
【００５３】
いま、キャンセルキーＲ１には、上記未作像ページデータを未作像用紙に印刷して排紙する印刷排紙キャンセルモードＣＭ１が設定され、キャンセルキーＲ２には、上記未作像ページデータを未作像用紙に印刷することなく白紙で排紙する白紙排紙キャンセルモードＣＭ２が設定されているものとして、以下説明する。
【００５４】
なお、図４において、キー部３ａには、用紙の搬送を操作するフィードキー３１、プリンタ装置１の各種設定メニューを表示させるメニューキー３２、操作の戻りを指示するバックキー３３、表示等の上下移動を指示操作する上下移動キー３４及び操作内容の決定等を指示操作するＯＫキー３５が設けられている。
【００５５】
そして、プリンタ装置１は、上記キャンセルキーＲ１、Ｒ２の操作に基づいてキャンセルモードを選択するキャンセルモード選択処理を行う。すなわち、プリンタ装置１は、図５に示すように、ＣＰＵ１５が、操作パネル３のキー入力の監視を行い（ステップＳ２０１）、キー入力があると、該キー入力されたキーがキャンセルキーＲ１であるかチェックする（ステップＳ２０２）。
【００５６】
ステップＳ２０２で、キャンセルキーＲ１であると、ＣＰＵ１５は、該キャンセルキーＲ１に割り当てられているキャンセルモードである印刷排紙キャンセルモードＣＭ１の処理を行って終了する（ステップＳ２０３）。
【００５７】
ステップＳ２０２で、キャンセルキーＲ１でないときには、ＣＰＵ１５は、キー入力されたキーがキャンセルキーＲ２であるかチェックし（ステップＳ２０４）、キャンセルキーＲ２であると、該キャンセルキーＲ２に割り当てられているキャンセルモードである白紙排紙キャンセルモードＣＭ２の処理を行って終了する（ステップＳ２０５）。
【００５８】
ステップＳ２０４で、キャンセルキーＲ２でないときには、ＣＰＵ１５は、該キー入力されたキーに対応する処理を行う（ステップＳ２０６）。
【００５９】
このように、本実施例のプリンタ装置１は、複数のキャンセルモード毎にハードまたはソフトのキャンセルキーＲ１、Ｒ２を設け、該キャンセルキーＲ１、Ｒ２のうちいずれのキャンセルキーＲ１、Ｒ２が操作されたかによって印刷排紙キャンセルモードＣＭ１、ＣＭ２を選択している。
【００６０】
したがって、印刷排紙キャンセルモードＣＭ１、ＣＭ２を適切にかつ速やかに選択して実行させることができ、利用性を向上させることができる。
【００６１】
なお、上記各実施例においては、キャンセルキー（キャンセル指示操作手段）としての１つのキャンセルキーの操作回数や２つのキャンセルキーのうち操作されたキャンセルキーによってキャンセルモードの選択を行って、該選択したキャンセルモードの処理を行っているが、キャンセルモードの選択は、キャンセルキーの操作方法やキャンセルキーの選択操作によって行うものに限るものではなく、例えば、予めキャンセルキーに選択するキャンセルモードを設定し、該キャンセルキーが操作されると、該設定されているキャンセルモードを実行するようにしてもよい。
【００６２】
例えば、操作パネル３の設定メニューにキャンセルキー操作時のキャンセルモードを設定するキャンセルモード設定メニューを設け、該キャンセルモード設定メニューに、「インサツ／ハクシ」等の選択肢を設けて、ユーザや管理者が任意に設定できるようにする。そして、キャンセルキーが押されると，該キャンセルモード設定メニューで設定されているキャンセルモードの処理を実行する。このユーザや管理者によるキャンセルモードの設定は、操作パネル３での操作やホスト装置ＨＳ等からのリモート設定によって行えるようにする。
【００６３】
このようにすると、例えば、利用頻度の高いキャンセルモードを選択してキャンセルキーに割り当てることで、該キャンセルキーを操作するだけで、より一層速やかにかつ簡単にユーザの意図するキャンセル処理を行わせることができる。
【００６４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６５】
本発明は、印刷ジョブを複数のキャンセルモードでキャンセルする機能を備えたプリンタ装置、複写装置、ファクシミリ装置、複合装置等の画像形成装置、該キャンセル処理を制御する画像形成制御方法、該画像形成装置に搭載して該キャンセル処理を制御する画像形成制御処理プログラム及び該画像形成制御プログラムを記録する記録媒体に利用することができる。
【図面の簡単な説明】
【００６６】
【図１】本発明の第１実施例を適用したプリンタ装置のブロック構成図。
【図２】図１のプリンタ装置による両面印刷時の白紙排紙キャンセルモードと印刷排紙キャンセルモードの説明図。
【図３】図１のプリンタ装置による画像形成制御処理を示すフローチャート。
【図４】本発明の第２実施例を適用したプリンタ装置の操作パネルのキー部平面図。
【図５】本発明の第２実施例を適用したプリンタ装置による画像形成制御処理を示すフローチャート。
【符号の説明】
【００６７】
１  プリンタ装置
２  コントローラ
３  操作パネル
４  プリンタエンジン
１１  ホストＩ／Ｆ
１２  プログラムＲＯＭ
１３  フォントＲＯＭ
１４  パネルＩ／Ｆ
１５  ＣＰＵ
１６  ＲＡＭ
１７  ＮＶＲＡＭ
１８  エンジンＩ／Ｆ
１９  オプションＲＡＭ
２０  バス
ＣＭ１、ＣＭ２  キャンセルモード
ＨＳ  ホスト装置
３ａ  キー部
Ｒ１、Ｒ２  キャンセルキー
３１  フィードキー
３２  メニューキー
３３  バックキー
３４  上下移動キー
３５  ＯＫキー
【図１】
2008254372.tif 000003
【図２】
2008254372.tif 000004
【図３】
2008254372.tif 000005
【図４】
2008254372.tif 000006
【図５】
2008254372.tif 000007